(57)【要約】【課題】  原水を第１の逆浸透膜モジュールによって透過水と濃縮水に分離し、排出された濃縮水を第２の逆浸透膜モジュールによって更に分離する逆浸透膜装置であって、回収率を一層高め得る逆浸透膜装置を提供する。【解決手段】  逆浸透膜装置は、第１の逆浸透膜モジュール（１）及び第２の逆浸透膜モジュール（２）と、第１の逆浸透膜モジュール（１）の濃縮水中の難溶解性物質の濃度を測定する濃度測定器（５）と、第２の逆浸透膜モジュール（２）に供給される濃縮水の流量を調節する流量調節機構と、第２の逆浸透膜モジュール（２）の濃縮水の流量を調節する制御弁（７）と、第２の逆浸透膜モジュール（２）の透過水の流量を測定する流量センサー（６）とを備えており、制御装置（８）により、第２の逆浸透膜モジュール（２）の濃縮水中の難溶解性物質の濃度が基準値以下で且つ最大となる様に、流量調節機構および制御弁（７）が制御される。【選択図】  図１
2005081254.tif 000002
【特許請求の範囲】
【請求項１】
原水を透過水と濃縮水に分離する第１の逆浸透膜モジュールと、当該第１の逆浸透膜モジュールから排出された濃縮水を更に透過水と濃縮水に分離する第２の逆浸透膜モジュールとを備えた逆浸透膜装置であって、前記第１の逆浸透膜モジュールから排出される濃縮水中の難溶解性物質の濃度を測定する濃度測定器と、前記第１の逆浸透膜モジュールから前記第２の逆浸透膜モジュールに供給される濃縮水の流量を調節する流量調節機構と、前記第２の逆浸透膜モジュールから排出される濃縮水の流量を調節する制御弁と、前記第２の逆浸透膜モジュールで分離された透過水の流量を測定する流量センサーとを備え、かつ、前記流量調節機構および前記制御弁の作動を制御する制御装置を含み、当該制御装置は、前記濃度測定器の測定結果の基づき、前記第２の逆浸透膜モジュールから排出される濃縮水中の難溶解性物質の濃度が予め設定された基準値以下で且つ最大となる様に、前記第２の逆浸透膜モジュールにおける処理量を演算し、前記流量センサーにて検出される流量が演算された目標流量となる様に、前記流量調節機構および前記制御弁の作動を制御する機能を備えていることを特徴とする逆浸透膜装置。
【請求項２】
第２の逆浸透膜モジュールの逆浸透膜は、食塩の阻止率が第１の逆浸透膜モジュールの逆浸透膜と略同等で且つ難溶解性物質の阻止率が前記第１の逆浸透膜モジュールの逆浸透膜よりも低い膜である請求項１に記載の逆浸透膜装置。
【請求項３】
第１の逆浸透膜モジュールの逆浸透膜は、食塩の阻止率が９３％以上で且つシリカの阻止率が９０％以上の膜であり、第２の逆浸透膜モジュールの逆浸透膜は、食塩の阻止率が９０％以上で且つシリカの阻止率が２０〜８０％の膜である請求項１に記載の逆浸透膜装置。
【発明の詳細な説明】
【技術分野】
【０００１】
本発明は、逆浸透膜装置に関するものであり、詳しくは、原水を第１の逆浸透膜モジュールによって透過水と濃縮水に分離し、第１の逆浸透膜モジュールから排出された濃縮水を第２の逆浸透膜モジュールによって更に透過水と濃縮水に分離する逆浸透膜装置に関するものである。
【背景技術】
【０００２】
逆浸透膜モジュールは、逆浸透膜（ＲＯ）により原水中に含まれる塩分およびシリカ等の難溶解性物質の浸透を阻止し、水分のみを透過させて脱塩処理された透過水を得るものであり、逆浸透膜と当該逆浸透膜により区分された２つの領域、すなわち、処理すべき水が供給される供給水領域ならびに分離された透過水を集約する透過水領域とから構成される。斯かる逆浸透膜モジュールは、比較的簡単な構造で且つ小型化し得る純水製造装置として、清涼飲料水の製造などの各種の分野で使用される。
【０００３】
逆浸透膜モジュールを使用した逆浸透膜装置としては、例えば、原水を透過水と濃縮水に分離する第１の逆浸透膜モジュールと、当該第１の逆浸透膜モジュールから排出された濃縮水を更に透過水と濃縮水に分離する第２の逆浸透膜モジュールとを備え、かつ、第１の逆浸透膜モジュールから排出された濃縮水にスケーリングインヒビター（スケール付着防止剤）を注入する様になされた「純水製造装置」が知られている。
【０００４】
上記の装置においては、第１の逆浸透膜モジュールの濃縮水を廃棄することなしに、スケーリングインヒビター注入後に第２の逆浸透膜モジュールで処理し、そして、その透過水を第１の逆浸透膜モジュールに原水として循環するため、原水の利用率、すなわち、回収率（原水供給量に対する透過水量の比率）を高めることが出来る。
【特許文献１】特開２００２−３５７４９号公報
【発明の開示】
【発明が解決しようとする課題】
【０００５】
上記の様な逆浸透膜装置においては、スケール付着防止剤を添加するため、運転コストが嵩み、また、得られた水が清涼飲料水などの原料として馴染み難いと言う問題がある。他方、上記の様な装置においては、後段の第２の逆浸透膜モジュールに溶質濃度の高い濃縮液が供給されるため、スケーリングインヒビターを添加しなかった場合には、当然ながら、第２の逆浸透膜モジュールの膜を損傷する危険がある。
【０００６】
また、第１の逆浸透膜モジュールから第２の逆浸透膜モジュールへ供給される濃縮水中の難溶解性物質の濃度は、最初に供給される原水中の難溶解性物質の濃度によっても変動し、更には、長期稼働による第１の逆浸透膜モジュールの膜の性能低下によっても次第に低くなるため、上記の様な２つのモジュールを使用した逆浸透膜装置においては、実際、濃縮水中の難溶解性物質の濃度を常に上限値付近に設定して運転するのが困難である。
【０００７】
本発明は、上記の実情に鑑みなされたものであり、その目的は、原水を第１の逆浸透膜モジュールによって透過水と濃縮水に分離し、第１の逆浸透膜モジュールから排出された濃縮水を第２の逆浸透膜モジュールによって更に透過水と濃縮水に分離する逆浸透膜装置であって、スケール付着防止剤などを添加することなく、逆浸透膜の破損のリスクを一層低減することが出来、しかも、回収率を一層高め得る様に改良された逆浸透膜装置を提供することにある。
【課題を解決するための手段】
【０００８】
上記の課題を解決するため、本発明は、第１及び第２の逆浸透膜モジュールによって分離される透過水の全体の品質を所要の品質に維持することを前提に、第１の逆浸透膜モジュールを一定の回収率で稼働させると共に、第２の逆浸透膜モジュールに供給する第１の逆浸透膜モジュールの濃縮水中のシリカ成分などの難溶解性物質の濃度の変動に応じて、第２の逆浸透膜モジュールにおける処理量を制御することにより、スケールの付着による膜損傷のリスクを低減し且つ高い回収率を維持する様にした。
【０００９】
すなわち、本発明の要旨は、原水を透過水と濃縮水に分離する第１の逆浸透膜モジュールと、当該第１の逆浸透膜モジュールから排出された濃縮水を更に透過水と濃縮水に分離する第２の逆浸透膜モジュールとを備えた逆浸透膜装置であって、前記第１の逆浸透膜モジュールから排出される濃縮水中の難溶解性物質の濃度を測定する濃度測定器と、前記第１の逆浸透膜モジュールから前記第２の逆浸透膜モジュールに供給される濃縮水の流量を調節する流量調節機構と、前記第２の逆浸透膜モジュールから排出される濃縮水の流量を調節する制御弁と、前記第２の逆浸透膜モジュールで分離された透過水の流量を測定する流量センサーとを備え、かつ、前記流量調節機構および前記制御弁の作動を制御する制御装置を含み、当該制御装置は、前記濃度測定器の測定結果の基づき、前記第２の逆浸透膜モジュールから排出される濃縮水中の難溶解性物質の濃度が予め設定された基準値以下で且つ最大となる様に、前記第２の逆浸透膜モジュールにおける処理量を演算し、前記流量センサーにて検出される流量が演算された目標流量となる様に、前記流量調節機構および前記制御弁の作動を制御する機能を備えていることを特徴とする逆浸透膜装置に存する。
【発明の効果】
【００１０】
本発明の逆浸透膜装置によれば、第１の逆浸透膜モジュール及び第２の逆浸透膜モジュールから透過水を得ることが出来、かつ、第２の逆浸透膜モジュールに供給する濃縮水中の難溶解性物質の濃度変動に応じて第２の逆浸透膜モジュールにおける処理量を制御し、第２の逆浸透膜モジュールにおいて濃縮水中の難溶解性物質の濃度を許容される最大値にコントロールするため、スケールの付着による第２の逆浸透膜モジュールの逆浸透膜の劣化および損傷を低減し得ると共に、常に最大の回収率を得ることが出来る。
【発明を実施するための最良の形態】
【００１１】
本発明に係る逆浸透膜装置の実施形態を図面に基づいて説明する。図１は、本発明に係る逆浸透膜装置の一例の基本的な構成を示すフロー図である。
【００１２】
本発明の逆浸透膜装置は、食塩などの電解質、および、シリカ成分や硬度成分などの難溶解性物質を含有する原水、例えば河川水、井水などを逆浸透膜によって処理し、電解質および難溶解性物質の濃度が所定濃度以下の透過水を処理水として得るための装置であり、飲用水、清涼飲料水の製造に好適に使用される。斯かる用途に使用される原水としては、電解質濃度の指標である電気伝導率が５０μＳ／ｃｍ以下の水が適している。
【００１３】
本発明の逆浸透膜装置は、図１に示す様に、上記の電解質および難溶解性物質含有の原水を透過水と濃縮水に分離する第１の逆浸透膜モジュール（１）と、当該第１の逆浸透膜モジュールから排出された濃縮水を更に透過水と濃縮水に分離する第２の逆浸透膜モジュール（２）とを備えている。図中、符号（１０）、（１１）及び（１２）は、各々、第１の逆浸透膜モジュール（１）の逆浸透膜、供給水領域および透過水領域を示し、符号（２０）、（２１）及び（２２）は、各々、第２の逆浸透膜モジュール（２）の逆浸透膜、供給水領域および透過水領域を示す。
【００１４】
第１の逆浸透膜モジュール（１）及び第２の逆浸透膜モジュール（２）の逆浸透膜（１０）及び（２０）の素材としては、酢酸セルロース系、ポリアミド系、架橋ポリアミン系、架橋ポリエーテル系、スルホン化ポリスルホン等の素材が挙げられる。また、膜のエレメント構造としては、スパイラル型、中空糸型、チューブラー型などが挙げられる。本発明において、逆浸透膜（１０）及び（２０）としては、何れの種類の膜を使用してもよく、そして、市販の膜を適宜選択して使用することが出来る。
【００１５】
本発明の逆浸透膜装置は、原水中の難溶解性物質の濃度変動や第１の逆浸透膜モジュール（１）の逆浸透膜（１０）の性能低下による濃縮水中の難溶解性物質の濃度変化に拘わらず、第２の逆浸透膜モジュール（２）の逆浸透膜（２０）における負荷を一定以下に制限し、かつ、最大の回収率を得るため、第２の逆浸透膜モジュール（２）へ供給される濃縮水中の難溶解性物質の濃度変化に応じて、第２の逆浸透膜モジュール（２）における透過水および濃縮水の流量をコントロールする様になされている。
【００１６】
すなわち、本発明の逆浸透膜装置は、第１の逆浸透膜モジュール（１）から排出される濃縮水中のシリカ成分などの難溶解性物質の濃度を測定する濃度測定器（５）と、第１の逆浸透膜モジュール（１）から第２の逆浸透膜モジュール（２）に供給される濃縮水の流量を調節する流量調節機構と、第２の逆浸透膜モジュール（２）から排出される濃縮水の流量を調節する制御弁（７）と、第２の逆浸透膜モジュール（２）で分離された透過水の流量を調節する流量センサー（６）とを備えており、そして、前記の流量調節機構および制御弁（７）の作動を制御する制御装置（８）を備えている。
【００１７】
より具体的には、図１に示す様に、第１の逆浸透膜モジュール（１）の供給水領域（１１）には、ポンプ（３１）を通じて原水を供給する原水供給ライン（４１）が接続され、第１の逆浸透膜モジュール（１）の透過水領域（１２）には、逆浸透膜（１０）で分離された透過水を取り出す透過水取出ライン（４２）が接続される。そして、第１の逆浸透膜モジュール（１）の供給水領域（１１）には、逆浸透膜（１０）を透過することなく難溶解性物質が濃縮された濃縮水を排出すると共に、斯かる濃縮水を第２の逆浸透膜モジュール（２）へ供給する濃縮水排出ライン（４３）が接続される。
【００１８】
また、第２の逆浸透膜モジュール（２）の供給水領域（２１）には、第１の逆浸透膜モジュール（１）から排出された濃縮水を供給する上記の濃縮水排出ライン（４３）がポンプ（３２）を介して接続され、第２の逆浸透膜モジュール（２）の透過水領域（２２）には、逆浸透膜（２０）で分離された透過水を取り出す透過水取出ライン（４４）が接続される。そして、第２の逆浸透膜モジュール（２）の供給水領域（２１）には、逆浸透膜（２０）を透過することなく難溶解性物質が濃縮された濃縮水を排出する濃縮水排出ライン（４５）が接続される。
【００１９】
なお、図に例示した装置においては、第１の逆浸透膜モジュール（１）で得られた透過水と第２の逆浸透膜モジュール（２）で得られた透過水とを一括して取り出すため、第２の逆浸透膜モジュール（２）の透過水取出ライン（４４）は、第１の逆浸透膜モジュール（１）の透過水取出ライン（４２）に連結されている。また、上記の濃縮水排出ライン（４３）には、第２の逆浸透膜モジュール（２）における運転圧力を一定に保つため、バッファタンクが配置されてもよい。
【００２０】
濃度測定器（５）は、第２の逆浸透膜モジュール（２）へ供給される濃縮水における難溶解性物質の濃度を測定するため、上記の濃縮水排出ライン（４３）に付設される。第２の逆浸透膜モジュール（２）への濃縮水の供給流量を調節する流量調節機構は、後述する様に、例えば上記のポンプ（３２）によって構成される。そして、上記の制御弁（７）は、第２の逆浸透膜モジュール（２）の濃縮水排出ライン（４５）に配置され、上記の流量センサー（６）は、第２の逆浸透膜モジュール（２）の透過水取出ライン（４４）に配置される。
【００２１】
濃度測定器（５）としては、例えば、日機装株式会社製の７０２８型シリカ計（商品名）等のインライン型の各種測定器が使用される。上記のシリカ計は、シリカ成分を含んだサンプル水にモリブデン酸アンモニウムを添加することにより、モリブデンイエローと呼ばれる発色液を作成し、斯かる発色液にシュウ酸を添加してリン酸の発色を隠ぺいした後、還元剤としてアスコルビン酸を添加してモリブデンブルーと呼ばれる青色の発色液を作成し、次いで、斯かる発色液に光を照射してその吸光度を測定することにより、シリカ濃度を演算するものである。なお、上記の濃度測定器（５）は、前述のバッファタンクに付設されてもよい。
【００２２】
また、第２の逆浸透膜モジュール（２）の出口側に付設される制御弁（７）としては、通常、開度調節可能な空気作動や電動機作動のグローブ弁などが使用される。上記の流量調節機構は、濃縮水排出ライン（４３）のポンプ（３２）の下流側に制御弁を配置することによっても構成することが出来るが、通常は、ポンプ（３２）として、インバーターにより吐出量を制御可能になされたポンプを使用することにより構成される。流量センサー（６）としては、一般的なフローメーターが使用される。
【００２３】
上記の制御装置（８）は、通常、マイクロコンピュータやプログラムコントローラによって構成される。そして、本発明においては、第２の逆浸透膜モジュール（２）における負荷を低減し、かつ、回収率をより高めるため、制御装置（８）は、濃度測定器（５）の測定結果の基づき、第２の逆浸透膜モジュール（２）から排出される濃縮水中の難溶解性物質の濃度が予め設定された基準値以下で且つ最大となる様に、第２の逆浸透膜モジュール（２）における処理量（目標とすべき透過水量および濃縮水量）を演算し、流量センサー（６）にて検出される流量が演算された目標流量（透過水量）となる様に、流量調節機構（例えばポンプ（３２））及び制御弁（７）の作動を制御する機能を備えている。
【００２４】
すなわち、第２の逆浸透膜モジュール（２）から排出される濃縮水中の難溶解性物質の濃度の基準値を例えば１００ｐｐｍとした場合、制御装置（８）は、濃縮水排出ライン（４３）に流れる濃縮水におけるシリカ濃度を検出し、第２の逆浸透膜モジュール（２）から排出される濃縮水中の難溶解性物質の濃度が１００ｐｐｍ以下で且つ最大となる様に、第２の逆浸透膜モジュール（２）における透過流量（透過水の流量）及び排出流量（濃縮水の流量）の比率を演算し、第１の逆浸透膜モジュール（１）の処理量から前記の透過水の流量および濃縮水の流量を演算すると共に、流量センサー（６）にて検出される流量が演算された透過水の流量となる様に、ポンプ（３２）及び制御弁（７）を適正な条件で作動させる様になされている。
【００２５】
なお、上記の基準値としての難溶解性物質の濃度は、濃縮水の水温やｐＨ、逆浸透膜の性能や安全性などを勘案して設定される。また、透過水と濃縮水の流量比率を演算する制御アルゴリズムは、第２の逆浸透膜モジュール（２）の運転圧力、逆浸透膜（２０）の分離特性および難溶解性物質の基準値に基づいて作成することが出来る。
【００２６】
本発明の逆浸透膜装置による処理においては、図１にフローで示す様に、原水供給ライン（４１）から第１の逆浸透膜モジュール（１）に原水を供給して処理し、得られた透過水を透過水取出ライン（４２）から取り出す。一方、第１の逆浸透膜モジュール（１）において膜を透過しなかった濃縮水は、濃縮水排出ライン（４３）から排出すると共に、濃縮水排出ライン（４３）を通じて第２の逆浸透膜モジュール（２）に供給して更に処理する。
【００２７】
上記の様に第１の逆浸透膜モジュール（１）から第２の逆浸透膜モジュール（２）に濃縮水を供給する際、濃縮水排出ライン（４３）に付設された濃度測定器（５）は、濃縮水排出ライン（４３）における濃縮水中の難溶解性物質の濃度、例えばシリカの濃度を測定する。そして、測定された濃縮水中のシリカの濃度が例えば６０ｐｐｍであり、第２の逆浸透膜モジュール（２）から排出される濃縮水のシリカ濃度の基準値が１００ｐｐｍとした場合、制御装置（８）は、第２の逆浸透膜モジュール（２）の濃縮水のシリカ濃度が１００ｐｐｍとなる様に、第２の逆浸透膜モジュール（２）における処理量（透過水と濃縮水の比率）を演算し、流量センサー（６）で検出される流量が目標流量となる様に、例えばポンプ（３２）の吐出量および制御弁（７）の開度を演算してこれらポンプ（３２）および制御弁（７）を作動させる。
【００２８】
第２の逆浸透膜モジュール（２）においては、上記の様に、第１の逆浸透膜モジュール（１）から供給された濃縮水を更に処理し、逆浸透膜（２０）で分離した透過水を透過水取出ライン（４４）から送出し、逆浸透膜（２０）を透過しなかった濃縮水を濃縮水排出ライン（４５）から排出する。これにより、本発明の逆浸透膜装置においては、例えばシリカ濃度が所定値以下の略純水に等しい水を透過水として透過水取出ライン（４２）から一括して取り出すことが出来る。
【００２９】
本発明の逆浸透膜装置は、上記の様に、第１の逆浸透膜モジュール（１）で原水を一旦処理した後に、第１の逆浸透膜モジュール（１）から排出された濃縮水を第２の逆浸透膜モジュール（２）で更に処理し、第１の逆浸透膜モジュール（１）及び第２の逆浸透膜モジュール（２）の両方から精製された水を透過水として得るため、回収率を高めることが出来る。
【００３０】
そして、本発明の逆浸透膜装置は、第２の逆浸透膜モジュール（２）に供給する濃縮水中の難溶解性物質の濃度を濃度測定器（５）によって検出すると共に、濃縮水中の難溶解性物質の濃度変動に応じて第２の逆浸透膜モジュール（２）における処理量を制御し、第２の逆浸透膜モジュール（２）において濃縮水中の難溶解性物質の濃度を許容される最大値にコントロールするため、スケールの付着による第２の逆浸透膜モジュール（２）の逆浸透膜（２０）の劣化および損傷を低減し得ると共に、装置全体として常に最大の回収率を確保することが出来る。
【００３１】
換言すれば、従来の逆浸透膜装置においては、原水に含まれる難溶解性物質の濃度変化や、逆浸透膜の性能低下による濃縮倍率の変化を見込むことなく、スケーリングの発生に対して最も安全な条件で、すなわち、最も悪い条件で回収率を設計していたのに対し、本発明の逆浸透膜装置においては、スケールの付着による第２の逆浸透膜モジュール（２）の逆浸透膜（２０）の劣化および損傷を低減し得ると共に、成分が刻々と変化する原水に対し、常に最高の回収率を維持して運転することが出来る。
【００３２】
ところで、逆浸透膜の性能は、一般的に、水に溶解した食塩などの電解質の阻止率（食塩阻止率）で評価されるが、昨今の逆浸透膜の中には、食塩などの電解質の阻止率は高いがシリカ等の難溶解性物質の阻止率は低いと言う膜がある。本発明においては、例えば、飲用水や清涼飲料水用の水をより低コストで製造するため、上記の様に装置を構成するにあたり、第２の逆浸透膜モジュール（２）の逆浸透膜（２０）として、上記の様な特性の逆浸透膜を採用することにより、透過水（処理水）において低い電解質濃度を維持しつつ、回収率をより一層高めることが出来る。
【００３３】
すなわち、本発明の好ましい態様において、第２の逆浸透膜モジュール（２）の逆浸透膜（２０）としては、食塩の阻止率が第１の逆浸透膜モジュール（１）の逆浸透膜（１０）と略同等で且つ難溶解性物質の阻止率が第１の逆浸透膜モジュール（１）の逆浸透膜（１０）よりも低い膜が使用される。
【００３４】
具体的には、例えば、食塩およびシリカを基準とした場合、本発明の逆浸透膜装置においては、第１の逆浸透膜モジュール（１）の逆浸透膜（１０）として、食塩の阻止率が９３％以上で且つシリカの阻止率が９０％以上の膜が選択され、第２の逆浸透膜モジュール（２）の逆浸透膜（２０）として、食塩の阻止率が９０％以上で且つシリカの阻止率が２０〜８０％の膜が選択される。
【００３５】
上記の様な本発明の逆浸透膜装置においては、第２の逆浸透膜モジュール（２）の逆浸透膜（２０）が食塩の阻止率において第１の逆浸透膜モジュール（１）の逆浸透膜（１０）と略同等で且つ難溶解性物質の阻止率において第１の逆浸透膜モジュール（１）の逆浸透膜（１０）よりも低い膜であるため、シリカ等の難溶解性物質の濃度の高い濃縮液を第２の逆浸透膜モジュール（２）によって処理した場合にも、スケールの付着による第２の逆浸透膜モジュール（２）の逆浸透膜（２０）の劣化および損傷を一層低減することが出来、その結果、高い回収率を維持して安定稼働させることが出来る。
【実施例１】
【００３６】
図１に示す構成の逆浸透膜装置を使用し、電気伝導率１６０μｓ／ｃｍ、ＳｉＯ２含有量２６．５ｐｐｍの原水を処理した。第１の逆浸透膜モジュール（１）及び第２の逆浸透膜モジュール（２）の逆浸透膜（１０）及び（２０）は、シリカ阻止率が９９．７％の膜であった。濃度測定器（５）として日機装株式会社製の７０２８型シリカ計（商品名）を使用し、ポンプ（３２）としてインバーター制御による吐出量可変のポンプを使用し、制御弁（７）として開度調整機構付き電動ボール弁を使用した。
【００３７】
処理にあたり、ポンプ（３１）及びポンプ（３２）の吐出量の調整により、原水供給量を８２０Ｌ／ｈ、第１の逆浸透膜モジュール（１）における透過水量を５００Ｌ／ｈ、透過水の回収率を６０．９％、濃縮水量を３２０Ｌ／ｈとし、第２の逆浸透膜モジュール（２）における濃縮水中のＳｉＯ２濃度（基準値）を１００ｐｐｍとして運転を行なった。その場合、濃縮水排出ライン（４３）における濃縮水のＳｉＯ２濃度を濃度測定器（５）にて測定し、その測定結果に基づき、第２の逆浸透膜モジュール（２）の濃縮水中のＳｉＯ２濃度が上記の基準値となる様に、制御装置（８）によって第２の逆浸透膜モジュール（２）における処理量を演算し、ポンプ（３２）の吐出量および制御弁（７）の開度を制御した。
【００３８】
その結果、第１の逆浸透膜モジュール（１）から、電気伝導率８．４μｓ／ｃｍ、ＳｉＯ２濃度０．１４ｐｐｍの透過水が５００Ｌ／ｈ得られ、電気伝導率４０５μｓ／ｃｍ、ＳｉＯ２濃度６６．３ｐｐｍの濃縮水が３２０Ｌ／ｈ得られた。また、第２の逆浸透膜モジュール（２）からは、電気伝導率４８．２μｓ／ｃｍ、ＳｉＯ２濃度３２．１ｐｐｍの透過水が１６０Ｌ／ｈ得られた。この場合の回収率は８０．５％であった。そして、１２０時間経過後においても、第１の逆浸透膜モジュール（１）及び第２の逆浸透膜モジュール（２）とも各膜の閉塞はなく、処理水質にも大きな変化は見られなかった。
【実施例２】
【００３９】
実施例１の装置を利用し、第１逆浸透膜モジュール（１）のみ長期使用によりシリカ阻止率が９３％に低下していた点を除き、実施例１と同様の条件で原水を処理した。その結果、第１の逆浸透膜モジュール（１）からは、電気伝導率９．９μｓ／ｃｍ、ＳｉＯ２濃度３．１ｐｐｍの透過水が５００Ｌ／ｈ得られ、気伝導率３９９μｓ／ｃｍ、ＳｉＯ２濃度６３ｐｐｍの濃縮水が３２０Ｌ／ｈ得られた。制御機構（８）によりポンプ（３２）の吐出量および制御弁（７）の作動が制御され、第２の逆浸透膜モジュール（２）からは、気伝導率４２．６μｓ／ｃｍ、ＳｉＯ２濃度３４．０ｐｐｍの透過水が１８０Ｌ／ｈ得られた。この場合の回収率は８２．９％であった。そして、１２０時間経過後においても、第１の逆浸透膜モジュール（１）及び第２の逆浸透膜モジュール（２）とも各膜の閉塞はなく、処理水質にも大きな変化は見られなかった。
【図面の簡単な説明】
【００４０】
【図１】本発明に係る逆浸透膜装置の一例の基本的な構成を示すフロー図である。
【符号の説明】
【００４１】
１  ：第１の逆浸透膜モジュール
１０：逆浸透膜
１１：供給水領域
１２：透過水領域
２  ：第２の逆浸透膜モジュール
２０：逆浸透膜
２１：供給水領域
２２：透過水領域
３１：ポンプ
３２：ポンプ
４１：原水供給ライン
４２：透過水取出ライン
４３：濃縮水排出ライン
４４：透過水取出ライン
４５：濃縮水排出ライン
５  ：濃度測定器
６  ：流量センサー
７  ：制御弁
８  ：制御装置
【図１】
2005081254.tif 000003